(57)【要約】【課題】ハンドルの引き出し動作及び収納動作をスムーズに行うことができる把持装置およびそれを備えた情報処理装置を実現することを目的とする。【解決手段】ハンドルにおいて、アーム部材が配されている部分における隙間に遮蔽部材を配置したことにより、その隙間を介してハンドル内に異物が侵入するのを軽減することができる。また、遮蔽部材を備えたことにより、ハンドルを引き出し位置から収納位置へ変位させる際に、ハンドルとアーム部材との隙間に異物を挟み込むことを防止することができるため、ハンドルをスムーズに変位させることができる。【選択図】図６Ｃ
2010086527.tif 000002
【特許請求の範囲】
【請求項１】
筐体に固着されている一対の固定部と、
前記一対の固定部のそれぞれに一方の端部が回動自在に支持された一対のアーム部材と、
前記アーム部材の他方の端部に回動自在に支持され、両端部に前記アーム部材が遊挿する遊挿口を備え、前記遊挿口を介して前記アーム部材を埋没可能な把持部とを備える把持装置であって、
前記把持部は、前記遊挿口を遮蔽する遮蔽部を備えた、把持装置。
【請求項２】
前記把持部は、前記筐体に近接した収納位置と、前記筐体から離隔した引き出し位置との間を変位可能に前記固定部に支持され、
前記アーム部材は、前記把持部が前記収納位置にある時、前記遮蔽部に当接する第１の切り欠き部を備える、請求項１記載の把持装置。
【請求項３】
前記第１の切り欠き部は、前記アーム部材の前記筐体とは反対側の外郭縁に備えられ、
前記第１の切り欠き部における前記固定部側の形状は、前記把持部が前記引き出し位置にある時、前記固定部の外郭形状に対し連続する形状である、請求項２に記載の把持装置。
【請求項４】
前記アーム部材は、前記引き出し位置にある時、前記遮蔽部に当接する第２の切り欠き部をさらに備える、請求項２記載の把持装置。
【請求項５】
前記遮蔽部は、可撓性樹脂で形成されている、請求項１記載の把持装置。
【請求項６】
情報信号を入力する情報信号入力部と、前記情報信号を処理する情報処理手段を内蔵した筐体と、
前記筐体に結合した把持装置とを備えた情報処理装置であって、
前記把持装置は、
前記筐体に固着されている一対の固定部と、
前記一対の固定部のそれぞれに一方の端部が回動自在に支持された一対のアーム部材と、
前記アーム部材の他方の端部に回動自在に支持され、両端部に前記アーム部材が遊挿する遊挿口を備え、前記遊挿口を介して前記アーム部材を埋没可能な把持部とを備え、
前記把持部は、前記遊挿口を遮蔽する遮蔽部を備えた、情報処理装置。
【請求項７】
前記把持部は、前記筐体に近接した収納位置と、前記筐体から離隔した引き出し位置との間を変位可能に前記固定部に支持され、
前記アーム部材は、前記把持部が前記収納位置にある時、前記遮蔽部に当接する第１の切り欠き部を備える、請求項６記載の情報処理装置。
【請求項８】
前記第１の切り欠き部は、前記アーム部材の前記筐体とは反対側の外郭縁に備えられ、
前記第１の切り欠き部における前記固定部側の形状は、前記把持部が前記引き出し位置にある時、前記固定部の外郭形状に対し連続する形状である、請求項７に記載の情報処理装置。
【請求項９】
前記アーム部材は、前記引き出し位置にある時、前記遮蔽部に当接する第２の切り欠き部をさらに備える、請求項７記載の情報処理装置。
【請求項１０】
前記遮蔽部は、可撓性樹脂で形成されている、請求項６記載の情報処理装置。
【発明の詳細な説明】
【技術分野】
【０００１】
本発明は、使用者により把持可能なハンドルを備えた把持装置に関する。本発明は、把持装置を備えた情報処理装置に関する。
【背景技術】
【０００２】
従来、運搬をしやすくするために、ハンドルを搭載したノートパソコンがある。特開平６−３１４１３８号公報及び特開平６−３０９０６５号公報は、ハンドルのグリップの部分と本体とがアーム部材で締結された把持装置を開示している。
【０００３】
図７は、従来のハンドルを備えたノートパソコンの斜視図である。図８は、図７に示すノートパソコンにおけるハンドル近傍の要部平面図である。図７及び図８に示すノートパソコンは、第１の筐体１０１と第２の筐体１０２とを備えている。第１の筐体１０１は、キーボードや情報処理手段を備えている。第２の筐体１０２は、液晶ディスプレイを備えている。第１の筐体１０１と第２の筐体１０２とは、互いに回動自在に支持されている。図７及び図８は、第２の筐体１０２が第１の筐体１０１に近接対向するように折り畳んだ状態を示している。また、第１の筐体１０１の側面には、使用者によって手で把持可能なハンドル１０４を備えている。ハンドル１０４は、長手方向の両端においてアーム部材１４１及び１４２によって第１の筐体１０１に支持されている。
【０００４】
また、図８に示すように、ハンドル１０４は、その内部において、長手方向の両端にそれぞれ略小判状の凹部１０４ａ及び１０４ｂが形成されている。凹部１０４ａには、アーム１４１に形成された突起部１４１ａが遊嵌している。凹部１０４ｂには、アーム部材１４２に形成された突起部１４２ａが遊嵌している。アーム部材１４１の他方の端部は、第１の筐体１０１に形成された突起部１０１ａに遊嵌している。アーム部材１４２の他方の端部は、第１の筐体１０１に形成された突起部１０１ｂに遊嵌している。アーム部材１４１は、突起部１０１ａの軸回りに回動可能に支持されている。アーム部材１４２は、突起部１０１ｂの軸回りに回動可能に支持されている。
【０００５】
使用者が従来のノートパソコンのハンドル１０４を使用する場合は、ハンドル１０４を収納位置（不図示）から矢印Ｙに示す方向へ引き出す。ハンドル１０４を引き出すことで、図７及び図８に示すようにハンドル１０４と第１の筐体１０１との間に手を挿入可能な空間を形成することができる。この空間に手を挿入することで、ハンドル１０４を把持することができる。
【０００６】
ハンドル１０４を収納位置から矢印Ｙに示す方向に引き出す際、アーム部材１４１は突起部１０１ａの軸回りに回動し、アーム部材１４２は突起部１０１ｂの軸回りに回動する。さらに、突起部１４１ａは、凹部１０４ａ内を図示左方向へ変位し、突起部１４１ｂは、凹部１０４ｂ内を図示右方向へ変位する。
【０００７】
次に、ハンドル１０４を収納する場合は、ハンドル１０４を図７に示す引き出し位置から矢印Ｘに示す方向へ変位させる。この時、アーム部材１４１が突起部１０１ａの軸回りに回動し、アーム部材１４２が突起部１０１ｂの軸回りに回動する。これによりハンドル１０４を収納位置へ変位させることができる。
【先行技術文献】
【特許文献】
【０００８】
【特許文献１】特開平６−３１４１３８号公報
【特許文献２】特開平６−３０９０６５号公報
【発明の概要】
【発明が解決しようとする課題】
【０００９】
しかしながら図７及び図８に示す把持装置は、アーム部材１４１及び１４２がハンドル１０４に対して回動可能であるため、ハンドル１０４の外郭におけるアーム部材１４１及び１４２の取付位置近傍に、遊挿口１０４ｄ及び１０４ｅが生じてしまう。したがって、ハンドル１０４を図７及び図８に示す引き出し位置から矢印Ｘに示す方向に収納する際に、遊挿口１０４ｄまたは１０４ｅに異物を挟み込んでしまうことがあり、ハンドル１０４の収納動作をスムーズに行えなくなるという問題がある。
【００１０】
本発明は、ハンドルの引き出し動作及び収納動作をスムーズに行うことができる把持装置およびそれを備えた情報処理装置を実現することを目的とする。
【課題を解決するための手段】
【００１１】
本発明の把持装置は、筐体に固着されている一対の固定部と、前記一対の固定部のそれぞれに一方の端部が回動自在に支持された一対のアーム部材と、前記アーム部材の他方の端部に回動自在に支持され、両端部に前記アーム部材が遊挿する遊挿口を備え、前記遊挿口を介して前記アーム部材を埋没可能な把持部とを備える把持装置であって、前記把持部は、前記遊挿口を遮蔽する遮蔽部を備えたものである。
【００１２】
本発明の情報処理装置は、情報信号を入力する情報信号入力部と、前記情報信号を処理する情報処理手段を内蔵した筐体と、前記筐体に結合した把持装置とを備えた情報処理装置であって、前記把持装置は、筐体に固着されている一対の固定部と、前記一対の固定部のそれぞれに一方の端部が回動自在に支持された一対のアーム部材と、前記アーム部材の他方の端部に回動自在に支持され、両端部に前記アーム部材が遊挿する遊挿口を備え、前記遊挿口を介して前記アーム部材を埋没可能な把持部とを備え、前記把持部は、前記遊挿口を遮蔽する遮蔽部を備えたものである。
【発明の効果】
【００１３】
本発明によれば、ハンドルの引き出し動作及び収納動作をスムーズに行うことができる。
【図面の簡単な説明】
【００１４】
【図１】本実施の形態における情報処理装置の外観を示す斜視図（第１の状態）
【図２】本実施の形態における情報処理装置の外観を示す斜視図（第１の状態）
【図３】本実施の形態における情報処理装置の外観を示す斜視図（第２の状態）
【図４】本実施の形態における情報処理装置の外観を示す平面図（第２の状態）
【図５Ａ】ハンドル、アームの分解斜視図
【図５Ｂ】ハンドル、アームの分解斜視図
【図５Ｃ】図５ＡにおけるＺ−Ｚ部の断面図
【図６Ａ】ハンドルの引き出し及び収納動作を説明するための要部平面図
【図６Ｂ】ハンドルの引き出し及び収納動作を説明するための要部平面図
【図６Ｃ】ハンドルの引き出し及び収納動作を説明するための要部平面図
【図７】従来のノートパソコンの斜視図
【図８】従来のノートパソコンにおけるハンドル近傍の平面図
【発明を実施するための形態】
【００１５】
本発明の把持装置は、筐体に固着されている一対の固定部と、前記一対の固定部のそれぞれに一方の端部が回動自在に支持された一対のアーム部材と、前記アーム部材の他方の端部に回動自在に支持され、両端部に前記アーム部材が遊挿する遊挿口を備え、前記遊挿口を介して前記アーム部材を埋没可能な把持部とを備える把持装置であって、前記把持部は、前記遊挿口を遮蔽する遮蔽部を備えたものである。
【００１６】
本発明の情報処理装置は、情報信号を入力する情報信号入力部と、前記情報信号を処理する情報処理手段を内蔵した筐体と、前記筐体に結合した把持装置とを備えた情報処理装置であって、前記把持装置は、筐体に固着されている一対の固定部と、前記一対の固定部のそれぞれに一方の端部が回動自在に支持された一対のアーム部材と、前記アーム部材の他方の端部に回動自在に支持され、両端部に前記アーム部材が遊挿する遊挿口を備え、前記遊挿口を介して前記アーム部材を埋没可能な把持部とを備え、前記把持部は、前記遊挿口を遮蔽する遮蔽部を備えたものである。
【００１７】
本発明の把持装置は、上記構成を基本として以下のような態様をとることができる。
【００１８】
本発明の把持装置において、前記把持部は、前記筐体に近接した収納位置と、前記筐体から離隔した引き出し位置との間を変位可能に前記固定部に支持され、前記アーム部材は、前記把持部が前記収納位置にある時、前記遮蔽部に当接する第１の切り欠き部を備える構成とすることができる。このような構成とすることにより、把持部を引き出し位置から収納位置へ変位させる際に、クリック感を発生させることができる。また、把持部を収納位置で位置決めすることができる。
【００１９】
本発明の把持装置において、前記第１の切り欠き部は、前記アーム部材の前記筐体とは反対側の外郭縁に備えられ、前記第１の切り欠き部における前記固定部側の形状は、前記把持部が前記引き出し位置にある時、前記固定部の外郭形状に対し連続する形状である構成とすることができる。このような構成とすることにより、把持部を引き出し位置から収納位置へ変位させる際に、把持部と固定部との間に異物を挟んでしまうことを防止することができる。よって、把持部の変位をスムーズに行うことができる。
【００２０】
本発明の把持装置において、前記アーム部材は、前記把持部が前記引き出し位置にある時、前記遮蔽部に当接する第２の切り欠き部をさらに備える構成とすることができる。このような構成とすることにより、把持部が引き出し位置にある時に、把持部にクリック感を発生させることができる。また、把持部を引き出し位置で位置決めすることができる。
【００２１】
本発明の把持装置において、前記遮蔽部は、可撓性樹脂で形成されている構成することができる。このような構成とすることで、把持部を収納位置から引き出し位置へ変位させる際、および引き出し位置から収納位置へ変位させる際に、クリック感を発生させることができる。また、把持部の変位時に遮蔽部とアーム部とが接触したとしても、アーム部に傷が付くのを軽減したり、アーム部の塗装が剥げるのを軽減することができる。また、アーム部と遮蔽部とが接触する際の異音を低減することができる。
【００２２】
（実施の形態）
〔１．情報処理装置の構成〕
図１及び図２は、本実施の形態の把持装置を備えた情報処理装置の外観を示す斜視図である。図１及び図２は、情報処理装置の一例であるノートパソコンの第１の状態を示す。図１は、ハンドルが引き出された状態を示す。以下、図１に示す状態を「引き出し状態」と称し、この時のハンドルの位置を「引き出し位置」と称する。図２は、ハンドルが収納された状態を示す。以下、図２に示す状態を「収納状態」と称し、この時のハンドルの位置を「収納位置」と称する。図３は、本実施の形態におけるノートパソコンの第２の状態を示す斜視図である。なお、本実施の形態では、情報処理装置の一例としてノートパソコンを挙げたが、携帯電話端末や医療機器などのように、少なくとも使用者が手で把持可能なハンドルを備えた携帯機器であればよい。
【００２３】
図１〜図３に示すように、ノートパソコンは、第１の筐体１と第２の筐体２とを備えている。第１の筐体１は、各種電気素子が実装された回路基板やハードディスクドライブなどを内蔵している。第２の筐体２は、液晶ディスプレイ２ａを備えている。第１の筐体１と第２の筐体２とは、ヒンジ部３によって互いに回動自在に支持されている。第２の筐体２を、図１に示す位置（第１の状態）から矢印Ａに示す方向へ回動させることで、図３に示す位置（第２の状態）へ移行させることができる。
【００２４】
また、ノートパソコンが第２の状態の時に第２の筐体２と対向する第１の筐体１の面を「上側」と定義すると、第１の筐体１の上面１ａにはキーボード５とポインティングデバイス６とを備えている。キーボード５は、各種文字の入力操作を受け付ける。ポインティングデバイス６は、液晶ディスプレイ２ａに表示されるカーソルを所望の位置へ移動する操作を受け付ける。
【００２５】
また、ノートパソコンが第２の状態におけるハンドル４側を「前側」と定義すると、第１の筐体１における前側の側面１ｂ（以下、第１の筐体１の前面と称する）には、支持部材４１及び４２が固定されている。支持部材４１は、アーム部材４３の一端を回動自在に支持する。支持部材４２は、アーム部材４４の一端を回動自在に支持する。アーム部材４３及び４４の他端には、ハンドル４が支持されている。ハンドル４は、使用者が手で把持することができる。ノートパソコンを図３に示す第２の状態にして、使用者がハンドル４を手で把持することにより、使用者は、ノートパソコンを手で持って運搬することができる。
【００２６】
〔２．把持装置の構成〕
図４は、把持装置を備えたノートパソコン（第２の状態）の平面図である。図４に示すように、本実施の形態の把持装置は、ハンドル４、支持部材４１、支持部材４２、アーム部材４３、およびアーム部材４４を備えている。
【００２７】
ハンドル４は、その長手方向の両端において、アーム部材４３及び４４の一方の端部に支持されている。ハンドル４は、マグネシウムなどの金属や、樹脂で形成することができる。ハンドル４は、ユーザーが手で把持しやすいように、湾曲していることが好ましい。ハンドル４は、ユーザーが手で把持しやすいように、片手の指にフィットする凹部が形成されていることが好ましい。ハンドル４は、ユーザーが把持した際に手を滑りにくくするために、ハンドル４の長手方向と略同一方向に、狭い幅の溝が複数形成されていることが好ましい。ハンドル４は、ユーザーが把持した際に手を滑りにくくするために、ラバー等が装着されていることが好ましい。
【００２８】
アーム部材４３の他方の端部は、支持部材４１に回動自在に支持されている。アーム部材４４の他方の端部は、支持部材４２に回動自在に支持されている。
【００２９】
支持部材４１及び４２は、第１の筐体１の端部に、ネジによる固定あるいは爪係合手段により固定されている。支持部材４１及び４２は、マグネシウムなどの金属や、樹脂で形成することができる。支持部材４１及び４２は、第１の筐体１に対して別部材としたが、支持部材４１及び４２と同等の形状及び同等の機能を有する形状を第１の筐体１に直接形成する構成としてもよい。このような構成とすることで、部品点数を削減し、コストダウンすることができる。
【００３０】
図５Ａ及び図５Ｂは、ハンドル４、アーム部材４３、およびアーム部材４４の分解斜視図である。図５Ａは、アーム部材４４側の分解斜視図である。図５Ｂは、アーム部材４３側の分解斜視図である。図５Ｃは、図５ＡにおけるＺ−Ｚ部の断面図である。図５Ｃは、アーム部材４４の近傍の断面図である。なお、アーム部材４３の近傍の断面図は、図５Ｃに示す断面図と同等であるため、省略している。図５Ａ及び図５Ｂに示すように、ハンドル４は、互いに結合可能な一対の外郭部材４ｅ及び４ｆで構成されている。
【００３１】
外郭部材４ｅは、長手方向の両端近傍における内面に、それぞれ略小判型の凹部４ａ及び４ｂが形成されている。外郭部材４ｆは、長手方向の両端近傍における内面に、それぞれ略小判型の凹部４ａ’及び４ｂ’が形成されている。図５Ｃに示すように、凹部４ａと凹部４ａ’は、外郭部材４ｅと外郭部材４ｆとを結合した時に互いに対向する位置に形成されている。凹部４ｂと凹部４ｂ’は、外郭部材４ｅと外郭部材４ｆとを結合した時に互いに対向する位置に形成されている。遮蔽部材４ｃ及び４ｄは、外郭部材４ｅにおける凹部４ａの近傍と凹部４ｂの近傍とに、それぞれ備わる。外郭部材４ｅは、長手方向両端にそれぞれ遊挿口４ｋ及び４ｊが形成されている。遊挿口４ｊは、アーム部材４３が挿通している。また、遊挿口４ｋは、アーム部材４４が挿通している。外郭部材４ｆにおける遊挿口４ｊ及び４ｋに対向する位置にも遊挿口が備わるが、図示を省略している。
【００３２】
アーム部材４３及び４４は、マグネシウムなどの金属で形成されている。これにより、曲げや捻れに対する強度を確保することができる。アーム部材４３及び４４は、金属で形成されていることが好ましいが、強度を確保することができれば樹脂等で形成することができる。
【００３３】
アーム部材４３は、その一方の端部近傍において、表裏それぞれに略半円柱形状の突起部４３ｂが形成されている。突起部４３ｂは、凹部４ａ及び凹部４ａ’に遊嵌可能な外径を有する。アーム部材４３は、その他方の端部近傍において、円形の孔部４３ｃが形成されている。孔部４３ｃは、支持部材４１に形成された円筒状の突起部４１ａ（後述）の外周円筒面に遊嵌可能な内径を有する。アーム部材４３は、突起部４３ｂと孔部４３ｃとの間の部分における縁部に切り欠き部４３ａ（第１の切り欠き部）が形成されている。アーム部材４３は、突起部４３ｂ近傍の縁部に切り欠き部４３ｄ（第２の切り欠き部）が形成されている。切り欠き部４３ａは、アーム部材４３における、第１の筐体１とは反対側の外郭縁に形成されている。
【００３４】
アーム部材４４は、その一方の端部近傍において、表裏それぞれに略半円柱形状の突起部４４ｂが形成されている。突起部４４ｂは、凹部４ｂ及び凹部４ｂ’に遊嵌可能な外径を有する。アーム部材４４は、その他方の端部近傍において、円形の孔部４４ｃが形成されている。孔部４４ｃは、支持部材４２に形成された円筒状の突起部４２ａ（後述）の外周円筒面に遊嵌可能な内径を有する。アーム部材４４は、突起部４４ｂと孔部４４ｃとの間の部分における縁部に切り欠き部４４ａ（第１の切り欠き部）が形成されている。アーム部材４４は、突起部４４ｂ近傍の縁部に切り欠き部４４ｄ（第２の切り欠き部）が形成されている。切り欠き部４４ａは、アーム部材４４における、第１の筐体１とは反対側の外郭縁に形成されている。
【００３５】
遮蔽部材４ｃ及び４ｄは、例えばアセタール樹脂、アクリロニトリル・スチレン樹脂、アクリロニトリル・ブタジエン・スチレン樹脂等の可撓性樹脂で形成されている。本実施の形態では、遮蔽部材４ｃ及び４ｄは、高い摺動性を確保するために、アセタール樹脂で形成した。遮蔽部材４ｃ及び４ｄは、略円筒形状に形成されている。遮蔽部材４ｃ及び４ｄは、略中央にネジ４ｈを挿通可能な貫通孔が形成されている。遮蔽部材４ｃ及び４ｄは、ネジ４ｈを前記貫通孔を介して外郭部材４ｅに形成されたネジ穴４ｇに螺合させることで、外郭部材４ｅの長手方向両端近傍にそれぞれ固定することができる。
【００３６】
なお、本実施の形態では、外郭部材４ｅと遮蔽部材４ｃ及び４ｄとを別部材としたが、外郭部材４ｅに一体的に遮蔽部材４ｃ及び４ｄと同等の機能を有する遮蔽部を形成する構成としてもよい。そのような構成とすることで、ネジ４ｈが不要となるため部品点数を削減することができるとともに、ネジ４ｇによる遮蔽部材４ｃ及び４ｄの取付作業が不要となるため製造工数を削減することができる。
【００３７】
上記のような構成において、突起部４３ｂが凹部４ａ及び４ａ’に遊嵌し、突起部４４ｂが凹部４ｂ及び凹部４ｂ’に遊嵌するように、外郭部材４ｅと外郭部材４ｆとを結合させることにより、ハンドル４とアーム部材４３及び４４とを互いに回動自在に結合することができる。
【００３８】
この時、アーム部材４３は、突起部４３ｂが凹部４ａ及び４ａ’内を移動することができるため、ハンドル４に対して突起部４３ｂを軸にした回動動作と、凹部４ａ及び４ａ’にガイドされながら移動する動作とを行うことができる。アーム部材４４は、突起部４４ｂが凹部４ｂ及び４ｂ’内を移動することができるため、ハンドル４に対して突起部４４ｂを軸にした回動動作と、凹部４ｂ及び４ｂ’にガイドされながら移動する動作とを行うことができる。
【００３９】
〔２−１．ハンドル４の動作〕
図６Ａは、ハンドル４が収納位置にある時の、第１の筐体１における把持装置近傍の要部平面図である。図６Ｃは、ハンドル４が引き出し位置にある時の、第１の筐体１における把持装置近傍の要部平面図である。図６Ｂは、図６Ａと図６Ｃとの間の状態を示す。
【００４０】
まず、ハンドル４の引き出し動作について説明する。
【００４１】
図６Ａに示すように、ハンドル４が収納位置にある状態から矢印Ｃに示す方向へ引き出されると、凹部４ａに突起部４３ｂが遊嵌しているため、アーム部材４３が支持部材４１に形成された突起部４１ａを軸に矢印Ｄに示す方向へ回動する。さらに、凹部４ｂに突起部４４ｂが遊嵌しているため、アーム部材４４が支持部材４２に形成された突起部４２ａを軸に矢印Ｅに示す方向へ回動する。この時、図６Ｂに示すように、突起部４３ｂは、凹部４ａ内を矢印Ｆに示す方向へ移動し、突起部４４ｂは、凹部４ｂ内を矢印Ｇに示す方向へ移動する。
【００４２】
図６Ｂに示す状態からさらにハンドル４が矢印Ｃに示す方向へ引き出されると、ハンドル４は、図６Ｃに示す引き出し位置へ到達する。図６Ｃに示す引き出し位置では、突起部４３ｂが凹部４ａの端部４ａ−ｂ（図６Ａ参照）に位置することにより、ハンドル４とアーム部材４３との位置が決まる。また、突起部４４ｂが凹部４ｂの端部４ｂ−ｂ（図６Ａ参照）に位置することにより、ハンドル４とアーム部材４４との位置が決まる。これにより、ハンドル４における矢印Ｃに示す方向への移動を規制することができる。
【００４３】
次に、ハンドル４の収納動作について説明する。
【００４４】
図６Ｃに示すように、ハンドル４が引き出し位置にある状態から矢印Ｂに示す方向へ変位されると、凹部４ａに突起部４３ｂが遊嵌しているため、アーム部材４３が支持部材４１に形成された突起部４１ａを軸に矢印Ｋに示す方向へ回動する。さらに、凹部４ｂに突起部４４ｂが遊嵌しているため、アーム部材４４が支持部材４２に形成された突起部４２ａを軸に矢印Ｌに示す方向へ回動する。この時、図６Ｂに示すように、突起部４３ｂは、凹部４ａ内を矢印Ｇに示す方向へ移動し、突起部４４ｂは、凹部４ｂ内を矢印Ｆに示す方向へ移動する。
【００４５】
図６Ｂに示す状態からさらにハンドル４が矢印Ｂに示す方向へ変位されると、ハンドル４は、図６Ａに示す収納位置へ到達する。図６Ａに示す収納位置では、突起部４３ｂは、凹部４ａの端部４ａ−ａ（図６Ｃ参照）に位置している。突起部４４ｂは、凹部４ｂの端部４ｂ−ａ（図６Ｃ参照）に位置している。
【００４６】
なお、切り欠き部４３ａにおける支持部材４１側の形状は、支持部材４１の側面４１ｂ（第１の筐体１の側面１ｂに略平行な面）の外郭形状に対し連続する形状に形成されている。したがって、ハンドル４を図６Ｃに示す引き出し位置から矢印Ｂに示す方向へ変位させアーム部材４３が矢印Ｋに示す方向へ回動する際に、支持部材４１とアーム部材４３との間に異物が挟まりにくくすることができる。同様に、切り欠き部４４ａにおける支持部材４２側の形状は、支持部材４２の側面４２ｂ（第１の筐体１の側面１ｂに略平行な面）の外郭形状に対し連続する形状に形成されている。したがって、ハンドル４を図６Ｃに示す引き出し位置から矢印Ｂに示す方向へ変位させアーム部材４４が矢印Ｌに示す方向へ回動する際に、支持部材４２とアーム部材４４との間に異物が挟まりにくくすることができる。
【００４７】
〔２−２．遮蔽部材４ｃ及び４ｄの役割〕
ハンドル４の引き出し動作及び収納動作における遮蔽部材４ｃ及び４ｄの役割について説明する。
【００４８】
まず、図６Ａに示すように、ハンドル４が収納位置にある時は、遮蔽部材４ｃは切り欠き部４３ａに当接し、遮蔽部材４ｄは切り欠き部４４ａに当接している。これにより、ハンドル４は収納位置で位置決めされている。
【００４９】
図６Ａに示す収納位置からハンドル４を矢印Ｃに示す方向へ引き出すと、図６Ｂ及び図６Ｃに示すように、アーム部材４３が矢印Ｄに示す方向に回動するため遮蔽部材４ｃが切り欠き部４３ａ内から離脱し、アーム部材４４が矢印Ｅに示す方向へ回動するため遮蔽部材４ｄが切り欠き部４４ａ内から離脱する。なお、図６Ａに示す収納位置では、遮蔽部材４ｃ及び４ｄが凹状に形成された切り欠き部４３ａ及び４４ａ内に位置しているため、遮蔽部材４ｃ及び４ｄが切り欠き部４３ａ及び４４ａから離脱する際にクリック感を発生させることができる。
【００５０】
図６Ｃに示す状態において、遮蔽部材４ｃは、ハンドル４とアーム部材４３との間に形成される遊挿口４ｊ（図５Ｂ参照）に位置し、遮蔽部材４ｄは、ハンドル４とアーム部材４４との間に形成される遊挿口４ｋ（図５Ａ参照）に位置する。この遮蔽部材４３ａ及び４４ａにより、遊挿口４ｊ及び４ｋを小さくすることができ、矢印ＨまたはＪに示す方向からハンドル４内に異物が侵入するのを軽減することができる。
【００５１】
また、ハンドル４を図６Ａまたは図６Ｂに示す位置から図６Ｃに示す引き出し位置へ変位させる際に、遮蔽部材４ｃが切り欠き部４３ｄに当接し、遮蔽部材４ｄが切り欠き部４４ｄに当接するため、クリック感を発生させることができる。また、遮蔽部材４ｃ及び４ｄが、それぞれ切り欠き部４３ｄ及び４４ｄに当接している状態では、ハンドル４とアーム部材４３及び４４とを引き出し位置で位置決めすることができる。
【００５２】
また、遊挿口４ｊに遮蔽部材４ｃを備え、遊挿口４ｋに遮蔽部材４ｄを備えたことにより、図６Ｃに示す状態からハンドル４を矢印Ｂに示す方向へ収納しようとする際、遊挿口４ｊ及び４ｋに異物を挟み込むことがほとんどなくなる。したがって、ハンドル４をスムーズに図６Ａに示す収納位置へ変位させることができる。
【００５３】
また、ハンドル４を図６Ｃまたは図６Ｂに示す位置から図６Ａに示す収納位置へ変位させる際に、遮蔽部材４ｃが切り欠き部４３ａに当接し、遮蔽部材４ｄが切り欠き部４４ａに当接するため、クリック感を発生させることができる。
【００５４】
また、図６Ａに示すように、遮蔽部材４ｃ及び４ｄがそれぞれ切り欠き部４３ａ及び４４ａに当接している状態では、ハンドル４とアーム部材４３及び４４とを収納位置で位置決めすることができる。
【００５５】
〔３．実施の形態の効果、他〕
本実施の形態によれば、ハンドル４において、アーム部材４３及び４４が配されている部分における遊挿口４ｊ及び４ｋに遮蔽部材４ｃ及び４ｄを配置したことにより、その遊挿口４ｊ及び４ｋを介してハンドル４内に異物が侵入しにくくすることができる。
【００５６】
また、遮蔽部材４ｃ及び４ｄを備えたことにより、ハンドル４を引き出し位置から収納位置へ変位させる際に、ハンドル４とアーム部材４３及び４４との遊挿口４ｊ及び４ｋに異物を挟み込みにくくすることができる。したがって、ハンドル４をスムーズに変位させることができる。
【００５７】
また、遮蔽部材４ｃ及び４ｄを可撓性樹脂で形成したことにより、ハンドル４を収納動作または引き出し動作を行う際に、遮蔽部材４ｃとアーム部材４３とが接触あるいは遮蔽部材４ｄとアーム部材４４とが接触する時に生じる異音を、低減することができる。
【００５８】
また、遮蔽部材４ｃ及び４ｄを可撓性樹脂で形成したことにより、アーム部材４３及び４４に傷が付きにくくすることができるとともに、アーム部材４３及び４４が塗料で塗装されている場合は、塗料が剥がれにくくすることができる。すなわち、ハンドル４の収納動作及び引き出し動作を繰り返して行うことにより、アーム部材４３及び４４と遮蔽部材４ｃ及び４ｄとが繰り返し接触する。しかし、本実施の形態では、遮蔽部材４ｃ及び４ｄを可撓性樹脂で形成しているため、アーム部材４３及び４４と遮蔽部材４ｃ及び４ｄとが繰り返し接触したとしても、アーム部材４３及び４４に傷が付くのを軽減したり、アーム部材４３及び４４の塗装を剥げにくくすることができる。
【００５９】
なお、本実施の形態では、本実施の形態では、ハンドル４に略小判状の凹部４ａ，４ｂ（４ａ’，４ｂ’）を形成したが、アーム部材４３における支持部材４１側の端部近傍およびアーム部材４４における支持部材４２側の端部近傍に略小判状の凹部を形成する構成としても、本実施の形態と同様に動作する。
【００６０】
また、本実施の形態では、支持部材４１及び４２は、第１の筐体１に対して別部材で構成したが、第１の筐体１に一体的に形成されていてもよい。
【００６１】
本実施の形態におけるハンドル４は、本発明における把持部の一例である。本実施の形態における支持部材４１及び４２は、本発明における固定部の一例である。本実施の形態における遮蔽部材４ｃ及び４ｄは、本発明における遮蔽部の一例である。本実施の形態における切り欠き部４３ａ及び４４ａは、本発明における第１の切り欠き部の一例である。本実施の形態における切り欠き部４３ｄ及び４４ｄは、本発明における第２の切り欠き部の一例である。本実施の形態におけるアーム部材４３は、本発明における第１のアーム部材の一例である。本実施の形態におけるアーム部材４４は、本発明における第２のアーム部材の一例である。
【００６２】
本実施の形態に関して、以下の付記を開示する。
【００６３】
（付記１）
筐体に固着されている一対の固定部と、
前記一対の固定部のそれぞれに一方の端部が回動自在に支持された一対のアーム部材と、
前記アーム部材の他方の端部に回動自在に支持され、両端部に前記アーム部材が遊挿する遊挿口を備え、前記遊挿口を介して前記アーム部材を埋没可能な把持部とを備える把持装置であって、
前記把持部は、前記遊挿口を遮蔽する遮蔽部を備えた、把持装置。
【００６４】
（付記２）
前記把持部は、前記筐体に近接した収納位置と、前記筐体から離隔した引き出し位置との間を変位可能に前記固定部に支持され、
前記アーム部材は、前記把持部が前記収納位置にある時、前記遮蔽部に当接する第１の切り欠き部を備える、付記１記載の把持装置。
【００６５】
（付記３）
前記第１の切り欠き部は、前記アーム部材の前記筐体とは反対側の外郭縁に備えられ、
前記第１の切り欠き部における前記固定部側の形状は、前記把持部が前記引き出し位置にある時、前記固定部の外郭形状に対し連続する形状である、付記２記載の把持装置。
【００６６】
（付記４）
前記アーム部材は、前記把持部が前記引き出し位置にある時、前記遮蔽部に当接する第２の切り欠き部をさらに備える、付記２記載の把持装置。
【００６７】
（付記５）
前記遮蔽部は、可撓性樹脂で形成されている、付記１記載の把持装置。
【００６８】
（付記６）
情報信号を入力する情報信号入力部と、前記情報信号を処理する情報処理手段を内蔵した筐体と、
前記筐体に結合した把持装置とを備えた情報処理装置であって、
前記把持装置は、
前記筐体に固着されている一対の固定部と、
前記一対の固定部のそれぞれに一方の端部が回動自在に支持された一対のアーム部材と、
前記アーム部材の他方の端部に回動自在に支持され、両端部に前記アーム部材が遊挿する遊挿口を備え、前記遊挿口を介して前記アーム部材を埋没可能な把持部とを備え、
前記把持部は、前記遊挿口を遮蔽する遮蔽部を備えた、情報処理装置。
【００６９】
（付記７）
前記把持部は、前記筐体に近接した収納位置と、前記筐体から離隔した引き出し位置との間を変位可能に前記固定部に支持され、
前記アーム部材は、前記把持部が前記収納位置にある時、前記遮蔽部に当接する第１の切り欠き部を備える、付記６記載の情報処理装置。
【００７０】
（付記８）
前記第１の切り欠き部は、前記アーム部材の前記筐体の反対側の外郭縁に備えられ、
前記第１の切り欠き部における前記固定部側の形状は、前記把持部が前記引き出し位置にある時、前記固定部の外郭形状に対し連続する形状である、付記７に記載の情報処理装置。
【００７１】
（付記９）
前記アーム部材は、前記引き出し位置にある時、前記遮蔽部に当接する第２の切り欠き部をさらに備える、付記７記載の情報処理装置。
【００７２】
（付記１０）
前記遮蔽部は、可撓性樹脂で形成されている、付記６記載の情報処理装置。
【産業上の利用可能性】
【００７３】
本発明の把持装置は、筐体に対して収納可能なハンドルを備えた機器に有用である。本発明の情報処理装置は、把持装置の搭載したノートパソコンなどに有用である。
【符号の説明】
【００７４】
１  第１の筐体
２  第２の筐体
４  ハンドル
４ｃ、４ｄ  遮蔽部材
４３、４４  アーム
４３ａ、４４ａ  切り欠き部
【図１】
2010086527.tif 000003
【図２】
2010086527.tif 000004
【図３】
2010086527.tif 000005
【図４】
2010086527.tif 000006
【図５Ａ】
2010086527.tif 000007
【図５Ｂ】
2010086527.tif 000008
【図５Ｃ】
2010086527.tif 000009
【図６Ａ】
2010086527.tif 000010
【図６Ｂ】
2010086527.tif 000011
【図６Ｃ】
2010086527.tif 000012
【図７】
2010086527.tif 000013
【図８】
2010086527.tif 000014